【手続補正書】
【提出日】平成22年6月14日(2010.6.14)
【手続補正１】
【補正対象書類名】特許請求の範囲
【補正対象項目名】全文
【補正方法】変更
【補正の内容】
【特許請求の範囲】
【請求項１】
排ガス混合物のアンモニア成分の検出に応答して差電気信号を発生する第１及び第２電極アセンブリーから成るアンモニア検出部材と、前記アンモニア検出部材に結合され、前記差電気信号をアンモニア測定に変換する電子制御モジュールとから成ることを特徴とする排ガス混合物中のアンモニアを測定する検出システム。
【請求項２】
更に、前記アンモニア測定に基づき排ガス混合物中に噴射すべきアンモニア成分の量を決定すると共に、アンモニア測定に従って所定量のアンモニア成分を排ガス混合物中に噴射する、前記電子制御モジュールに結合されたエミッションコントロールシステムを有する請求項１に記載の検出システム。
【請求項３】
更に、アンモニア検出部材内に設けたヒーターを制御して第１及び第２電極アセンブリーの少なくとも１つを作動温度に加熱する、前記アンモニア検出部材に結合されたヒーターコントローラーを有する請求項１に記載の検出システム。
【請求項４】
前記電子制御モジュールが、対応する複数の差電気信号値により指標化された複数のアンモニア測定値のルックアップ表を記憶する電子記憶装置と、前記電子記憶装置内のルックアップ表を参照してアンモニア測定値を決定する、電子記憶装置に結合されたプロセッサーとから成る請求項１に記載の検出システム。
【請求項５】
電子制御モジュールが、プロセッサーによる実行時に、差電気信号値に基づいて前記電子制御モジュールにアンモニア測定の演算を行わせる装置読み取り可能指令を記憶する電子記憶装置を有する請求項１に記載の検出システム。
【請求項６】
第１の電極アセンブリーが第１センサー電極を有し、第２の電極アセンブリーが第２センサー電極を有し、第１及び第２の電極アセンブリーが実質的に同一の材料から成ると共に実質的に同一の微細構造を有する請求項１に記載の検出システム。
【請求項７】
第１及び第２の電極アセンブリーが、各第１及び第２の電極に対する異なる作動条件に応答した異なる電気信号を発生するように構成された請求項５に記載の検出システム。
【請求項８】
前記差電気信号が、第１センサー電極の第１の作動温度および第２センサー電極の第２の作動温度に依存し、第２センサー電極の第２の作動温度が第１センサー電極の第１の作動温度と異なる請求項７に記載の検出システム。
【請求項９】
第１センサー電極は、第２センサー電極の対応する物理的寸法と異なる少なくとも１つの物理的寸法を有し、第１センサー電極および第２センサー電極の物理的寸法は、異なる面積および異なる厚さから成る請求項５に記載の検出システム。
【請求項１０】
第１の電極アセンブリーは第１センサー電極を有し、第２の電極アセンブリーは第２センサー電極を有し、第１及び第２センサー電極は実質的に同一の材料から成りかつ異なる微細構造を有する請求項１に記載の検出システム。
【請求項１１】
第１の電極アセンブリーは第１センサー電極を有し、第２の電極アセンブリーは第２センサー電極を有し、第１及び第２センサー電極は異なる材料から成る請求項１に記載の検出システム。
【請求項１２】
第１及び第２センサー電極の少なくとも１つのセンサー電極が貴金属から成る請求項１１に記載の検出システム。
【請求項１３】
第１及び第２センサー電極の少なくとも１つのセンサー電極が金属酸化物から成る請求項１１に記載の検出システム。
【請求項１４】
第１及び第２の電極アセンブリーの少なくとも１つの電極アセンブリーは、対応するセンサー電極に関連して配置された触媒を有し、前記触媒は、アンモニアの少なくとも一部を窒素酸化物に選択酸化する触媒活性材料から成り、前記対応するセンサー電極は窒素酸化物を検出するように構成されている請求項１１に記載の検出システム。
【請求項１５】
第１及び第２の電極アセンブリーの少なくとも１つの電極アセンブリーは、対応するセンサー電極に関連して配置された触媒を有し、前記触媒は、アンモニアの少なくとも一部を窒素に選択酸化する触媒活性材料から成り、前記対応するセンサー電極は窒素を検出するように構成されている請求項１１に記載の検出システム。
【請求項１６】
アンモニア検出部材は、更に、イオン導通基板を有し、第１及び第２の電極アセンブリーがイオン導通基板上に配置されている請求項１１に記載の検出システム。
【請求項１７】
第１及び第２の電極アセンブリーがそれぞれイオン導通基板の両面に配置されている請求項１６に記載の検出システム。
【請求項１８】
アンモニア検出部材は、更に、第１及び第２の電極アセンブリーが配置されたイオン非導通基板と、第１及び第２の電極アセンブリーの少なくとも１つの電極アセンブリー内に配置され、かつ触媒と前記電極アセンブリーの対応センサー電極との間に配置されたイオン導通材料とを有する請求項１に記載の検出システム。
【請求項１９】
検出部材を有するガス混合物中のアンモニアを測定する検出装置であって、前記検出部材は、基板と、基板に結合された第１センサー電極を有し、ガス混合物中のアンモニアと反応する第１の電極アセンブリーと、基板に結合された第２センサー電極を有し、ガス混合物中のアンモニアと反応する第２の電極アセンブリーと、第１及び第２の電極アセンブリーにそれぞれ結合した電気リードとから成り、第１及び第２センサー電極は、実質的に同一の材料から成りかつ実質的に同一の微細構造を有し、電気リードは、第１及び第２の電極アセンブリーにより検出されたアンモニアに応答して、第１及び第２の電極アセンブリーから発生する差電気信号を伝送することを特徴とする前記検出装置。
【請求項２０】
更に、第１及び第２センサー電極に関連して配置された第１及び第２ヒーターを有し、第１ヒーターは、第１センサー電極を第１の作動温度に加熱し、第２ヒーターは、第２センサー電極を第１の作動温度と相違する第２の作動温度に加熱する請求項１９に記載の検出装置。
【請求項２１】
基板は、イオン非導通基板から成る請求項１９に記載の検出装置。
【請求項２２】
第１及び第２の電極アセンブリーの少なくとも１つは、更に、対応するセンサー電極に関連して配置されたイオン導通材料を有する請求項２１に記載の検出装置。
【請求項２３】
第１及び第２の電極アセンブリーがそれぞれ基板の両面に配置される請求項１９に記載の検出装置。
【請求項２４】
更に、基板に関連して配置された硫黄吸収材料を有し、前記硫黄吸収材料はガス混合物から硫黄を吸収する請求項１９に記載の検出装置。
【請求項２５】
更に、ガス混合物中の酸素を検出する酸素センサーを有する請求項１９に記載の検出装置。
【請求項２６】
更に、ガス混合物中の酸素を検出して酸素電気信号を発生する酸素センサーと、前記酸素センサー及び第１及び第２の電極アセンブリーと結合して、差電気信号および酸素電気信号に基づいてアンモニア測定の演算を行う電子制御モジュールとを有する、請求項２５に記載の検出装置。
【請求項２７】
更に、ガス混合物中のＮＯｘを検出するＮＯｘセンサーを有する請求項１９に記載の検出装置。
【請求項２８】
更に、ガス混合物中の酸素を検出してＮＯｘ電気信号を発生するＮＯｘセンサーと、前記ＮＯｘセンサー及び第１及び第２の電極アセンブリーと結合して、差電気信号およびＮＯｘ電気信号に基づいてアンモニア測定の演算を行う電子制御モジュールとを有する請求項２７に記載の検出装置。
【請求項２９】
電子制御モジュールが、一組の理論または実験式を記憶する電子記憶装置と、前記電子記憶装置に結合され、前記一組の理論または実験式を参照してアンモニア測定値を決定するプロセッサーとから成る請求項１９に記載の検出装置。
【請求項３０】
更に、ガスクロス感度を低減するため、電極の少なくとも２つの間に印加するバイアス電圧またはバイアス電流を有する請求項１９に記載の検出装置。
【請求項３１】
検出部材を有するガス混合物中のアンモニアを測定する検出装置であって、前記検出部材は、基板と、基板に結合された第１センサー電極を有しガス混合物中のアンモニアと反応する第１の電極アセンブリーと、基板に結合された第２センサー電極を有しガス混合物中のアンモニアと反応する第２の電極アセンブリーと、第１及び第２の電極アセンブリーにそれぞれ結合された電気リードとから成り、第１及び第２センサー電極は実質的に同一の材料から成りかつ異なる微細構造を有し、電気リードは、第１及び第２の電極アセンブリーにより検出されたアンモニアに応答して第１及び第２の電極アセンブリーから発生する差電気信号を伝送することを特徴とする前記検出装置。
【請求項３２】
第１及び第２センサー電極の実質的に同一の材料が、多孔性の性質、多孔性の量、または多孔性の性質及び量の両方に従って異なる多孔性を有する請求項３１に記載の検出装置。
【請求項３３】
実質的に同一の材料の多孔性の差が、第１及び第２センサー電極の焼結温度の差から生じる請求項３１に記載の検出装置。
【請求項３４】
基板がイオン導通基板から成る請求項３１に記載の検出装置。
【請求項３５】
イオン導通基板が酸素イオン導通基板である請求項３４に記載の検出装置。
【請求項３６】
更に、基板に関連して配置された硫黄吸収材料を有し、前記硫黄吸収材料はガス混合物から硫黄を吸収する請求項３１に記載の検出装置。
【請求項３７】
更に、検出部材に結合した電子制御モジュールを有し、前記電子制御モジュールは差電気信号をアンモニア測定に変換する請求項３１に記載の検出装置。
【請求項３８】
更に、検出部材に結合したヒーターコントローラーを有し、前記ヒーターコントローラーは検出部材内のヒーターを制御して、第１及び第２の電極アセンブリーの少なくとも１つを作動温度に加熱する請求項３７に記載の検出装置。
【請求項３９】
更に、プロセッサーに結合した温度センサーを有し、前記温度センサーは、第１及び第２の電極アセンブリーの少なくとも１つに温度フィードバック信号を付与する請求項３８に記載の検出装置。
【請求項４０】
電子制御モジュールは、一組の理論または実験式を記憶する電子記憶装置と、前記電子記憶装置に結合され、前記一組の理論または実験式を参照してアンモニア測定を決定するプロセッサーとから成る請求項３１に記載の検出装置。
【請求項４１】
更に、ガスクロス感度を低減するため、電極の少なくとも２つの間に印加するバイアス電圧またはバイアス電流を有する請求項３１に記載の検出装置。
【請求項４２】
検出部材を有するガス混合物中のアンモニアを測定する検出装置であって、前記検出部材は、基板と、基板に結合された第１センサー電極を有し、ガス混合物中のアンモニアと反応する第１の電極アセンブリーと、基板に結合された第２センサー電極を有し、ガス混合物中のアンモニアと反応する第２の電極アセンブリーと、第１及び第２の電極アセンブリーにそれぞれ結合された電気リードとから成り、第１及び第２センサー電極は異なる材料から成り、電気リードは、第１及び第２の電極アセンブリーにより検出されたアンモニアに応答して第１及び第２の電極アセンブリーから発生する差電気信号を伝送することを特徴とする前記検出装置。
【請求項４３】
基板がイオン導通基板から成る請求項４２に記載の検出装置。
【請求項４４】
イオン導通基板が酸素イオン導通基板である請求項４３に記載の検出装置。
【請求項４５】
基板がイオン非導通基板から成る請求項４２に記載の検出装置。
【請求項４６】
第１及び第２の電極アセンブリーの少なくとも１つは、更に、対応するセンサー電極に関連して配置されたイオン導通材料を有する請求項４５に記載の検出装置。
【請求項４７】
第１及び第２の電極アセンブリーがそれぞれ基板の両面に配置された請求項４２に記載の検出装置。
【請求項４８】
更に、基板に関連して配置された硫黄吸収材料を有し、前記硫黄吸収材料はガス混合物から硫黄を吸収する請求項４２に記載の検出装置。
【請求項４９】
更に、ガス混合物中の酸素を検出して、酸素電気信号を発生する酸素センサーと、前記酸素センサー及び第１及び第２の電極アセンブリーと結合して、差電気信号および酸素電気信号に基づいてアンモニア測定の演算を行う電子制御モジュールとを有する請求項４２に記載の検出装置。
【請求項５０】
更に、ガス混合物中のＮＯｘを検出してＮＯｘ電気信号を発生するＮＯｘセンサーと、前記ＮＯｘセンサー及び第１及び第２の電極アセンブリーと結合して、差電気信号およびＮＯｘ電気信号に基づいてアンモニア測定の演算を行う電子制御モジュールとを有する請求項４２に記載の検出装置。
【請求項５１】
更に、検出部材に結合した電子制御モジュールを有し、前記電子制御モジュールは、差電気信号をアンモニア測定に変換する請求項４２に記載の検出装置。
【請求項５２】
更に、検出部材に結合したヒーターコントローラーを有し、前記ヒーターコントローラーは、検出部材内のヒーターを制御して、第１及び第２の電極アセンブリーの少なくとも１つを作動温度に加熱する請求項５１に記載の検出装置。
【請求項５３】
更に、プロセッサーに結合した温度センサーを有し、前記温度センサーは、第１及び第２の電極アセンブリーの少なくとも１つに温度フィードバック信号を付与する請求項５２に記載の検出装置。
【請求項５４】
電子制御モジュールは、対応する複数の差電気信号値により指標化された複数のアンモニア測定値のルックアップ表を記憶する電子記憶装置と、前記電子記憶装置に結合され、電子記憶装置内のルックアップ表を参照してアンモニア測定を決定するプロセッサーとから成る請求項４９に記載の検出装置。
【請求項５５】
更に、ガスクロス感度を低減するため、電極の少なくとも２つの間に印加するバイアス電圧またはバイアス電流を有する請求項４２に記載の検出装置。
【請求項５６】
検出部材を有するガス混合物中のアンモニアを測定する検出装置であって、前記検出部材は、基板と、基板に結合された第１センサー電極を有し、ガス混合物中のアンモニアと反応する第１の電極アセンブリーと、基板に結合された第２センサー電極を有し、ガス混合物中のアンモニアと反応する第２の電極アセンブリーと、第１及び第２の電極アセンブリーにそれぞれ結合された電気リードとから成り、第１及び第２の電極アセンブリーの少なくとも１つの電極アセンブリーは、対応するセンサー電極に関連して配置された触媒を有し、前記触媒は、アンモニアの少なくとも一部を、窒素、窒化物または窒素酸化物に選択酸化する触媒活性材料を有し、前記対応するセンサー電極は、窒素、窒化物または窒素酸化物を検出するように構成されると共に、電気リードは、第１及び第２の電極アセンブリーにより検出されたアンモニアに応答して第１及び第２の電極アセンブリーから発生する差電気信号を伝送することを特徴とする前記検出装置。
【請求項５７】
触媒を有する電極アセンブリーは、更に、第１の触媒に関連して配置された第２の触媒を有し、前記第２の触媒は他の触媒活性材料から成る請求項５６に記載の検出装置。
【請求項５８】
第１及び第２センサー電極の少なくとも１つのセンサー電極が貴金属から成る請求項５６に記載の検出装置。
【請求項５９】
第１及び第２センサー電極の少なくとも１つのセンサー電極が金属酸化物から成る請求項５６に記載の検出装置。
【請求項６０】
基板がイオン導通基板から成る請求項５６に記載の検出装置。
【請求項６１】
イオン導通基板が酸素イオン導通基板である請求項５９に記載の検出装置。
【請求項６２】
基板がイオン非導通基板から成る請求項５６に記載の検出装置。
【請求項６３】
第１及び第２の電極アセンブリーの少なくとも１つは、更に、対応するセンサー電極に関連して配置されたイオン導通材料を有する請求項５６に記載の検出装置。
【請求項６４】
第１及び第２の電極アセンブリーがそれぞれ基板の両面に配置された請求項５６に記載の検出装置。
【請求項６５】
更に、基板に関連して配置された硫黄吸収材料を有し、前記硫黄吸収材料はガス混合物から硫黄を吸収する請求項５６に記載の検出装置。
【請求項６６】
更に、ガス混合物中の酸素を検出する酸素センサーを有する請求項５６に記載の検出装置。
【請求項６７】
更に、ガス混合物中の酸素を検出して酸素電気信号を発生する酸素センサーと、前記酸
素センサー及び第１及び第２の電極アセンブリーと結合して、差電気信号および酸素電気信号に基づいてアンモニア測定の演算を行う電子制御モジュールとを有する請求項６６に記載の検出装置。
【請求項６８】
更に、ガス混合物中のＮＯｘを検出するＮＯｘセンサーを有する請求項５６に記載の検出装置。
【請求項６９】
更に、ガス混合物中の酸素を検出してＮＯｘ電気信号を発生するＮＯｘセンサーと、前記ＮＯｘセンサー及び第１及び第２の電極アセンブリーと結合して、差電気信号およびＮＯｘ電気信号に基づいてアンモニア測定の演算を行う電子制御モジュールとを有する請求項６８に記載の検出装置。
【請求項７０】
更に、検出部材に結合した電子制御モジュールを有し、前記電子制御モジュールは、差電気信号をアンモニア測定に変換する請求項５６に記載の検出装置。
【請求項７１】
更に、検出部材に結合したヒーターコントローラーを有し、前記ヒーターコントローラーは検出部材内のヒーターを制御して、第１及び第２の電極アセンブリーの少なくとも１つを作動温度に加熱する請求項７０に記載の検出装置。
【請求項７２】
更に、プロセッサーに結合した温度センサーを有し、前記温度センサーは、第１及び第２の電極アセンブリーの少なくとも１つに温度フィードバック信号を付与する請求項７１に記載の検出装置。
【請求項７３】
電子制御モジュールは、対応する複数の差電気信号値により指標化された複数のアンモニア測定値のルックアップ表を記憶する電子記憶装置と、前記電子記憶装置に結合され、電子記憶装置内のルックアップ表を参照してアンモニア測定を決定するプロセッサーとから成る請求項７０に記載の検出装置。
【請求項７４】
電子制御モジュールは電子記憶装置を有し、前記電子記憶装置は、プロセッサーによる実行時に差電気信号の値に基づき電子制御モジュールにアンモニア測定の演算を行わせる装置読み取り可能指令を記憶する請求項７０に記載の検出装置。
【請求項７５】
電子制御モジュールは、一組の理論または実験式を記憶する電子記憶装置と、前記電子記憶装置に結合され、前記一組の理論または実験式を参照してアンモニア測定値を決定するプロセッサーとから成る請求項７０に記載の検出装置。
【請求項７６】
更に、ガスクロス感度を低減するため、電極の少なくとも２つの間に印加するバイアス電圧またはバイアス電流を有する請求項５６に記載の検出装置。
【請求項７７】
イットリア安定化ジルコニアから成るイオン導通基板と、前記イオン導通基板の表面に配置され、ガス混合物中のアンモニアと反応する白金から成る第１センサー電極と、前記イオン導通基板の表面に配置され、ガス混合物中のアンモニアと反応する酸化タングステンから成る第２センサー電極と、第１及び第２センサー電極に間接的に結合され、第１及び第２センサー電極を作動温度に加熱するヒーターと、ヒーターとセンサー電極間に結合され、ヒーターからの熱を第１及び第２センサー電極に伝えるサーモカップル材料と、所定容積のガス混合物を第１及び第２センサー電極付近を流通させる開口部を有するイオン導通基板および第１及び第２センサー電極用のハウジングとから成り、前記第１及び第２センサー電極は、検出アンモニアに応答して差電気信号を発生するように構成されることを特徴とするガス混合物中のアンモニアを測定する検出装置。
【請求項７８】
基板と、基板の表面に配置され、ガス混合物中のアンモニアと反応する白金から成る第１センサー電極と、基板の表面に配置される白金から成る第２センサー電極と、第２センサー電極上に配置された触媒とから成り、前記触媒はアンモニアの少なくとも一部を窒素成分に選択酸化する触媒活性材料を有し、前記触媒活性材料は酸化ルテニウムから成り、前記第２センサー電極は前記窒素成分を検出するように構成され、前記第１及び第２センサー電極は、検出アンモニア及び検出窒素成分に応答して差電気信号を発生するように構成されることを特徴とするガス混合物中のアンモニアを測定する検出装置。
【請求項７９】
第１及び第２センサー電極が基板の同一側に配置される請求項７８に記載の検出装置。
【請求項８０】
第１及び第２センサー電極がそれぞれ基板の反対側に配置される請求項７８に記載の検出装置。